(57)【要約】【課題】商品であるコンタクトレンズの管理をしやすくできるコンタクトレンズ用ラベルの提供を目的とする。【解決手段】コンタクトレンズに関連する商品名１２、ベースカーブ１４、直径（ＤＩＡ.）１６、レンズ度数１８、有効期限２０、ロット番号２２が付与されたコンタクトレンズ用ラベル１０において、コンタクトレンズ用ラベル１０には有効期限２０の年に応じて、その年を識別するための色が着色された有効期限識別領域１０Ｃを有する。【選択図】図１
2008158334.tif 000002
【特許請求の範囲】
【請求項１】
コンタクトレンズに関連する関連情報が付与されたコンタクトレンズ用ラベルにおいて、
前記関連情報の種別に応じて、その種別を識別するための識別手段が施されていることを特徴とするコンタクトレンズ用ラベル。
【請求項２】
前記関連情報が、コンタクトレンズの種類であることを特徴とする請求項１に記載のコンタクトレンズ用ラベル。
【請求項３】
前記関連情報が、コンタクトレンズの有効期限であることを特徴とする請求項１に記載のコンタクトレンズ用ラベル。
【請求項４】
前記有効期限は、製造年又は製造年度から一定年数経過した年又は年度に設定されているものであり、前記識別手段は、前記一定年数毎にサイクルして使用するように設定されているものである請求項３に記載のコンタクトレンズ用ラベル。
【請求項５】
前記関連情報が、コンタクトレンズの有効月、スペック、ロット番号のうち少なくとも1つであることを特徴とする請求項１に記載のコンタクトレンズ用ラベル。
【請求項６】
前記識別手段が、関連情報の種別毎に設けられた色、形状、模様、記号の少なくとも1つであることを特徴とする請求項１乃至請求項５のうちいずれか１項に記載のコンタクトレンズ用ラベル。
【発明の詳細な説明】
【技術分野】
【０００１】
この発明は、包装容器に付着されるコンタクトレンズ用ラベルに関するものである。
【背景技術】
【０００２】
従来、コンタクトレンズを収容するコンタクトレンズ容器には、コンタクトレンズの商品名、商品スペック、製造年月日、ロット番号等が印刷されたラベルが貼着され、このラベルを商品管理をする人が見て、当該商品の管理を行うようにしている。
【発明の開示】
【発明が解決しようとする課題】
【０００３】
ところで、コンタクトレンズ自体は小さいため、そのコンタクトレンズを入れる容器も小さいものとなっている。このため容器に貼着されるコンタクトレンズ用ラベルも面積が狭いため、前記商品名、商品スペック、製造年月日、ロット番号等は小さな文字でラベルに印刷されている。
【０００４】
ところが、小さな文字で印刷されていると、商品を管理する人は、一つ、一つ、その容器を近くに寄って見たり、或いはその商品を手に取って見たりする必要があることから、管理が大変し難い問題があった。
【０００５】
本発明は、商品であるコンタクトレンズの管理をしやすくできるコンタクトレンズ用ラベルの提供を目的としている。
【課題を解決するための手段】
【０００６】
本発明は、請求項１の発明は、コンタクトレンズに関連する関連情報が付与されたコンタクトレンズ用ラベルにおいて、前記関連情報の種別に応じて、その種別を識別するための識別手段が施されていることを特徴とするコンタクトレンズ用ラベルを要旨とするものである。請求項１の発明によれば、ラベルを一瞥しただけで、そのラベルが付されたコンタクトレンズ容器、すなわち、該コンタクトレンズ容器内のコンタクトレンズに関連した関連情報の種別を識別することができる。
【０００７】
請求項２の発明は、請求項１において、前記関連情報が、コンタクトレンズの種類であることを特徴とする。請求項２の発明によれば、ラベルを一瞥しただけで、そのラベルが付されたコンタクトレンズ容器、すなわち、該コンタクトレンズ容器内のコンタクトレンズの種類が識別される。
【０００８】
請求項３の発明は、請求項１において、前記関連情報が、コンタクトレンズの有効年であることを特徴とする。請求項３の発明によれば、ラベルを一瞥しただけで、そのラベルが付されたコンタクトレンズ容器、すなわち、該コンタクトレンズ容器内のコンタクトレンズの有効年が識別される。
【０００９】
請求項４の発明は、請求項３において、前記有効期限は、製造年又は製造年度から一定年数経過した年に設定されているものであり、前記識別手段は、前記一定年数毎にサイクルして使用するように設定されているものである。
【００１０】
請求項４の発明によれば、有効期限が、製造年又は生産年度から一定年数をサイクルとした年度（又は年）毎に色が変えられているため、使用する色数をこのサイクル年又はサイクル年度数だけ用意すればよく、限定された数だけとなる。従って、コンタクトレンズの場合、サイクル年又はサイクル年度数分の非常に少ない数の色数で済む。
【００１１】
請求項５の発明は、請求項１において、前記関連情報が、コンタクトレンズの有効月、スペック、ロット番号のうち少なくとも1つであることを特徴とする。請求項５の発明によれば、ラベルを一瞥しただけで、そのラベルが付されたコンタクトレンズ容器、すなわち、該コンタクトレンズ容器内のコンタクトレンズの有効月、スペック、ロット番号のうち少なくとも1つが識別される。
【００１２】
請求項６の発明は、請求項１乃至請求項５のうちいずれか１項において、前記識別手段が、関連情報の種別毎に設けられた色、形状、模様、記号の少なくとも1つであることを特徴とする。
【００１３】
請求項６の発明によれば、ラベルに付与された識別手段としての色、形状、模様、記号の少なくとも1つを一瞥しただけで、そのラベルが付されたコンタクトレンズ容器、すなわち、該コンタクトレンズ容器内のコンタクトレンズに関連した関連情報の種別が識別される。
【発明の効果】
【００１４】
本発明によれば、ラベルを一瞥しただけで、そのラベルが付されたコンタクトレンズ容器や、同コンタクトレンズ容器を単数又は複数個収納する外箱、すなわち、該コンタクトレンズ容器や外箱内のコンタクトレンズに関連した関連情報の種別を識別することができる。このため、商品であるコンタクトレンズの管理をしやすくできる効果を奏する。
【発明を実施するための最良の形態】
【００１５】
以下、本発明の第１実施形態を図１を参照して説明する。
図１に示すようにコンタクト用ラベル（以下、単にラベルという）１０は、円形のシートからなる。ラベル１０の表面は、コンタクトレンズの名称（商品名）を表わす商品名識別領域１０Ａと、コンタクトレンズのスペックや有効期限を示す文字表示領域１０Ｂと、有効期限識別領域１０Ｃの３つの領域に分割されている。本実施形態では、この３つの領域は、図１の示すラベル１０の状態で、上方を上とすると、商品名識別領域１０Ａを上に、有効期限識別領域１０Ｃを下に、文字表示領域１０Ｂが中間に位置するように、三者が上下に並んで配置されている。なお、各領域の配置は、図１で示される配置に限定されるものではなく、商品名識別領域１０Ａを下に、有効期限識別領域１０Ｃを上に、文字表示領域１０Ｂを中間位置に配置してもよい。
【００１６】
商品名識別領域１０Ａには、このラベル１０が貼着されるコンタクトレンズ容器としての容器に収納されるコンタクトレンズの商品名１２が印刷されるとともに、商品名識別領域１０Ａ全体には、商品名毎に区分されて選択された特定色が印刷されている。又、本実施形態では、商品名識別領域１０Ａの面積が文字表示領域１０Ｂの面積よりも広くされ、商品名識別領域１０Ａに着色された特定色を、より文字表示領域１０Ｂに着色された後述する特定色よりもアピール度を高めるようにしている。
【００１７】
又、商品名１２は、例えば、白抜き文字とするが、商品名識別領域１０Ａに施された色とは異なる色であれば良い。
商品名識別領域１０Ａには、例えばその商品の種別（たとえば、ハードコンタクトレンズ、ソフトコンタクトレンズ、使い捨てレンズ等）毎に設定されたイメージカラーで着色することが好ましい。イメージカラーで着色されていれば、商品名識別領域１０Ａを管理者が見れば、商品名１２を読まなくても、即座に商品名を識別することができる。具体的には、例えば、コンタクトレンズが酸素透過性レンズの場合には緑色、ソフトコンタクトレンズの場合には青色、使い捨てレンズの場合にはオレンジ色等のカラーが商品名識別領域１０Ａに施される。
【００１８】
文字表示領域１０Ｂには、ベースカーブ（Ｂ.Ｃ.）１４、直径（ＤＩＡ.）１６、レンズ度数（Ｐ.）１８、有効期限（ＥＸＰ）２０、ロット番号（ＬＯＴ）２２が例えば、黒色で印刷されている。なお、これらのコンタクトレンズの関連情報の色は黒色に限定されるものではない。又、文字表示領域１０Ｂはシートの下地の色、例えば、白色等が好ましい。なお、文字表示領域１０Ｂ内に印刷される事項は、コンタクトレンズをケースに入れて流通させる場合、最低必要な情報として容器に付与される事項である。
【００１９】
有効期限識別領域１０Ｃは、有効期限２０の内容に応じて設定された色で着色されている。ここで、有効期限２０とは、コンタクトレンズの生産された年度（すなわち、生産年度）或いは生産年から一定年数が有効期間であるとして、その有効期間が終了する期限のことである。有効期限識別領域１０Ｃに着色される色は、前記有効年度（又は有効年）毎に色が変わるように設定されている。例えば、前記一定年数が、６年とした場合、６年の各年を区別するために６色の色が選択されている。具体的には、互いに異なる第１色〜第６色が予め設定され、有効年度（又は有効年）の最初（本気製品が製造された初年）の年度（又は最初の年）には、第１色が有効期限識別領域１０Ｃに着色され、以下、第２〜第６年度（年）迄は、第２色〜第６色が順に有効期限識別領域１０Ｃに着色される。次の第７〜第１２年度（年）は、第１〜第６年度（年）と同様に第１色〜第６色が順次選択されて有効期限識別領域１０Ｃに着色される。以後のサイクルは、同様に有効期限識別領域１０Ｃに着色するようにする。なお、有効期限識別領域１０Ｃに着色される第１色〜第６色は、例えば、赤、青、黄、緑、ピンク、グレーとする。なお、色の種類は、前述の色に限定されるものではない。
【００２０】
なお、前記一定年数として６年以外の年数の場合は、その期間の年数に応じた色数を設定すればよい。
そして、管理者が例えば今年に有効期限がある商品を確認する場合、今年に有効期限がある商品の有効期限識別領域１０Ｃの色がどの色かを予め学習しておけば、管理対象の商品群の中から学習した色が付与された有効期限識別領域１０Ｃを有するラベル１０を持つ商品を有効期限２０を見るまでもなく即座に確認できる。このようにして、有効期限識別領域１０Ｃに着色される色により、コンタクトレンズの有効期限が識別できる。
【００２１】
ラベル１０はその裏面に図示しない粘着剤層が設けられ、図示しないコンタクトレンズ用の容器に貼着可能である。なお、本実施形態のラベル１０は、容器として透明又は半透明の合成樹脂からなる円筒状のケースの上端面に貼着される。
【００２２】
本実施形態では、商品名１２がコンタクトレンズの種類を表わす関連情報に相当する。又、有効期限２０がコンタクトレンズの有効年度（又は有効年）を表わす関連情報に相当する。又、着色された商品名識別領域１０Ａは、コンタクトレンズの種類を表わす関連情報を識別するための識別手段に相当する。又、有効期限識別領域１０Ｃがコンタクトレンズの関連情報の種別である、有効期限としての有効年度（又は有効年）を表わす識別手段に相当する。
【００２３】
さて、上記のように構成されたラベル１０の作用効果について説明する。
（１）  コンタクトレンズを商品として流通させる場合、コンタクトレンズを収容するとともに前記ラベル１０が貼着されたコンタクトレンズ容器で出荷される。市場において、例えば得意先において、前記商品が委託在庫となる場合、厳密な有効期限の確認が管理者（たとえば、メーカの営業者）に要求されている。この場合、委託在庫の有効期限を管理する管理者が、同委託在庫の商品を毎月チェックをすることになる。
【００２４】
ところで、コンタクトレンズの容器は、コンタクトレンズの大きさに合わせて必要最小限の大きさに形成されているため、ラベル１０自体も自ずから狭い面積の文字表示領域１０Ｂに各種項目が印刷されたものとなっている。
【００２５】
なお、コンタクトレンズ容器の大きさは下記の値に限定されるものではないが、例えば、２０ｍｍ（直径）×３３ｍｍ（高さ）の容器の上端面に貼着できるようにラベル１０の直径が設定されているものとすると、このような容器に代表されるコンタクトレンズ容器の大きさは、小型のものである。従って、前記容器の上端面に貼着されるラベル１０の大きさは、同上端面の面積以下に制限されて狭い面積しか持たないものとなる。
【００２６】
このため、有効期限２０を一瞥しただけでは、文字が小さくて有効期限の内容を誤認する虞がある。仮に、有効期限識別領域１０Ｃがない場合には、誤認を避けるため、個々の商品を手に持って文字表示領域１０Ｂの有効期限２０を確認する必要がある。これは、在庫の数が多ければ多いほど、確認の作業が手間となり、膨大な時間を要する問題がある。
【００２７】
それに対して、本実施形態では、有効期限識別領域１０Ｃに有効期限毎に応じた色が着色されているため、商品を手にとることなく、一瞥してその色を確認するだけで、有効期限を確認することができる。
【００２８】
（２）  又、本実施形態では、有効年度（又は有効年）から一定年数をサイクルとした年度（又は年）毎に色が変えられているため、使用する色数は、このサイクル年度（又はサイクル年）数だけ用意すればよく、限定された数だけとなる。サイクル年度（又はサイクル年）数は、コンタクトレンズの場合、例えば、６年程度であり、非常に少ない数の色数で済む。このため、管理者が、その限定された数だけの色とその色の出現順序を覚えればよくなる。仮に、サイクル年度とは関係なしに、有効年度（又は有効年）毎に、互いに異なる色を使用する場合には、多くの色を管理者が覚える必要があり、その負担が大きくなるが、本実施形態ではそのようなことはない。
【００２９】
（３）  又、本実施形態では、商品名識別領域１０Ａも、商品名識別領域１０Ａの商品の種類に応じた着色がされている。このため、商品名識別領域１０Ａを一瞥するだけで、その商品種別であるコンタクトレンズの種別を識別できる。
【００３０】
（第２実施形態）
次に第２実施形態を図２を参照して説明する。なお、第1実施形態と同一構成又は相当する構成については同一符号を付してその詳細な説明を省略し、異なる構成を中心に説明する。
【００３１】
第２実施形態のラベル１０は、全体が略四角シート状をなし、裏面には図示しない粘着剤層が設けられて容器としての透明又は半透明の合成樹脂からなる扁平状のブリスタケースに貼着されるところが異なっている。
【００３２】
又、第１実施形態では、有効期限識別領域１０Ｃがラベル１０の表面の下部に設けられていたが、第２実施形態では、特に有効期限識別領域１０Ｃがラベル１０の表面の上部に設けたところが第１実施形態と異なっている。さらに、コンタクトレンズの関連情報であるベースカーブ（Ｂ.Ｃ.）１４、直径（ＤＩＡ.）１６、レンズ度数（Ｐ.）１８、有効期限（ＥＸＰ）２０、ロット番号（ＬＯＴ）２２の配置が、第１実施形態と異なっている。なお、商品名識別領域１０Ａと商品名１２との関係、有効期限識別領域１０Ｃと有効期限２０との関係は、第１実施形態と同じであるため、説明を省略する。
【００３３】
以下には、各領域や、コンタクトレンズの関連情報の配置を具体的に説明する。
ラベル１０の表面は、図２に示すように、ラベル１０の上部の左右角部に一対の有効期限識別領域１０Ｃが設けられ、中央部よりも若干上部寄り位置に、長方形をなす商品名識別領域１０Ａが形成されている。又、ラベル１０の表面において、商品名識別領域１０Ａ及び有効期限識別領域１０Ｃを除く領域が、文字表示領域１０Ｂにされている。そして、ラベル１０の表面において、中央部よりも下方の下部には、ベースカーブ（Ｂ.Ｃ.）１４、レンズ度数（Ｐ.）１８、直径（ＤＩＡ.）１６、ロット番号（ＬＯＴ）２２が例えば、黒色で印刷されている。なお、これらのコンタクトレンズの関連情報の色は黒色に限定されるものではない。又、文字表示領域１０Ｂはシートの下地の色、例えば、白色等が好ましい。又、ラベル１０の表面において、商品名識別領域１０Ａよりも上方の位置には有効期限（ＥＸＰ）２０が例えば、黒色で印刷されている。
【００３４】
なお、第２実施形態においても、商品名識別領域１０Ａの面積は、有効期限識別領域１０Ｃの合計面積よりも広くされている。
従って、第２実施形態においても、第１実施形態と同様の作用効果を奏する。
【００３５】
なお、本発明の実施形態は、前記各実施形態に限定されるものではなく、下記のように構成を変更してもよい。
○  第１実施形態では、ラベル１０の表面を商品名識別領域１０Ａ，文字表示領域１０Ｂ，有効期限識別領域１０Ｃの３つの領域に分割したが、分割する領域は３つに限定されるものではなく、管理するために必要な情報を種類別に識別するための領域をさらに増加し、この増加させた領域に、他の領域とは異なる色を施すものとする。
【００３６】
この場合、識別領域の重要度に応じて、その面積を重要度の高い物から広くするようにしてもよい。このように面積を重要度の高いものから広くしておけば、重要度の高いものの管理者に対する訴求力が高まるため、より管理がしやすくなる。
【００３７】
○  第１実施形態では、有効期限識別領域１０Ｃ全体に、有効年度（又は有効年）に応じて、色を着色したが、有効月に応じて色を着色しても良い。この場合、有効月を有効期限識別領域１０Ｃを一瞥するだけで、識別することができる。
【００３８】
○  第１実施形態では、有効期限識別領域１０Ｃ全体を、有効年度（又は有効年）に応じて特定色で着色した。これに代えて、有効期限識別領域１０Ｃに対して、有効年度（又は有効年）に応じて設定された色と、有効月に応じて設定された所定形状とを組み合わせたものを印刷するようにしてもよい。これによって、有効期限識別領域１０Ｃを管理者が見れば、有効期限の年度（年）と有効月が一瞥しただけで識別できる。
【００３９】
例えば、１月を○、２月を◎、３月を△、４月を□、５月を五角形、６月を６角形というように、各月を特定可能に、すなわち識別可能な所定形状を有する記号３０とし、これらの所定形状を持った記号を、有効年度（又は有効年）に応じた色で有効期限識別領域１０Ｃに印刷する。例えば、有効期限識別領域１０Ｃに相当する領域全体を有効月を識別する色に着色する代わりに、有効月が１月を示す記号３０（すなわち、○）に対して有効月を識別する色が着色された例を示している。なお、図１の○は、有効年度（又は有効年）に応じた色で有効期限識別領域１０Ｃに印刷した例と区別するために、説明の便宜上、点線で示されている。このようにすれば、管理者は色で有効期限の年度（又は年）を、その色を有する記号で、有効月を特定できることになる。
【００４０】
なお、所定形状は、他の形状と識別できる形状、特に一瞥しただけで識別できる形状が好ましい。
○  前記各実施形態において、コンタクトレンズのスペックであるベースカーブ（Ｂ.Ｃ.）１４の大きさを、あるまとまりの範囲で、大きさ順に種別化し、ラベル１０の表面に、種別化されたベースカーブ（Ｂ.Ｃ.）１４の種別毎に、その種別を識別するための色や、所定形状を印刷するスペック識別領域を設けるようにする。このように構成すれば、種別化されたベースカーブ（Ｂ.Ｃ.）１４の種別毎にスペック識別領域に付与されているため、管理者がその領域を一瞥しただけで、そのラベルが付されたコンタクトレンズ容器、すなわち、該コンタクトレンズ容器内のコンタクトレンズのスペックであるベースカーブ（Ｂ.Ｃ.）１４が識別できる。
【００４１】
○  前記各実施形態において、コンタクトレンズのスペックである直径（ＤＩＡ.）１６の大きさを、あるまとまりの範囲で、大きさ順に種別化し、ラベル１０の表面に、種別化された直径（ＤＩＡ.）１６の種別毎に、その種別を識別するための色や、所定形状を印刷するスペック識別領域を設けるようにする。このように構成すれば、種別化された直径（ＤＩＡ.）１６の種別毎にスペック識別領域に付与されているため、管理者がその領域を一瞥しただけで、そのラベルが付されたコンタクトレンズ容器、すなわち、該コンタクトレンズ容器内のコンタクトレンズのスペックである直径（ＤＩＡ.）１６が識別できる。
【００４２】
○  前記各実施形態において、コンタクトレンズのスペックであるレンズ度数（Ｐ.）１８の大きさを、あるまとまりの範囲で、大きさ順に種別化し、ラベル１０の表面に、種別化されたレンズ度数（Ｐ.）１８の種別毎に、その種別を識別するための色や、所定形状を印刷するスペック識別領域を設けるようにする。このように構成すれば、種別化されたレンズ度数（Ｐ.）１８の種別毎にスペック識別領域に付与されているため、管理者がその領域を一瞥しただけで、そのラベルが付されたコンタクトレンズ容器、すなわち、該コンタクトレンズ容器内のコンタクトレンズのスペックであるレンズ度数（Ｐ.）１８が識別できる。
【００４３】
又、特定の種別の商品に対してだけ、種別化されたレンズ度数（Ｐ.）１８の種別毎に、その種別を識別するための色や、所定形状を印刷するスペック識別領域を設けるようにしてもよい。例えば、使い捨てレンズにのみ、レンズ度数（Ｐ.）１８をスペック領域に色表示するようにする。
【００４４】
○  又、特定の種別の商品に対してだけ、レンズ度数（Ｐ.）１８の大きさを、あるまとまりの範囲で、大きさ順に種別化するとともに、ベースカーブ（Ｂ.Ｃ.）１４の大きさを、あるまとまりの範囲で、大きさ順に種別化してもよい。そして、ラベル１０の表面に、種別化されたレンズ度数（Ｐ.）１８の種別毎に、及び、ベースカーブ（Ｂ.Ｃ.）１４の種別毎に、それらの種別を識別するための色や、所定形状を印刷するスペック識別領域を設けるようにしてもよい。
【００４５】
例えば、酸素透過性レンズの場合にだけ、ベースカーブ１４とレンズ度数１８を色表示するようにする。
○  前記各実施形態において、コンタクトレンズのロット番号２２を、あるまとまりの範囲で、製造順に種別化し、ラベル１０の表面に種別化されたロット番号２２の種別毎に、その種別を識別するための色や、所定形状を印刷するスペック識別領域を設けるようにする。このように構成すれば、種別化されたロット番号２２の種別毎にスペック識別領域に付与されているため、管理者がその領域を一瞥しただけで、そのラベルが付されたコンタクトレンズ容器、すなわち、該コンタクトレンズ容器内のコンタクトレンズのロット番号２２が識別できる。
【００４６】
○  識別手段としての色に変えて商品名識別領域１０Ａや有効期限識別領域１０Ｃの領域を種別毎に識別手段としての「模様」で構成するようにしてもよい。模様としては、縞、格子、井桁、鱗、玉つなぎ、等の各種模様を挙げることができる。  ○  又、識別手段としては色、形状、模様、記号、図形のうちいずれか２つ、３つ、４つ又は全部を適宜組み合わせてもよい。なお、記号とは、一定の事象や内容を代理・代行して指し示すはたらきをもつ知覚可能な対象をいい、種々の符号・しるし・標識・文字等を含む趣旨である。形状は、記号とは異なり、一定の事象や内容を代理・代行して指し示すはたらきをもってはいないが、識別可能な形を有するものをいう。
【００４７】
○  図１及び図２に示す実施形態において、有効期限２０の月の部分、図１の例では「０１」、図２の例では「０９」にのみ識別のための色を着色するようにしてもよい。なお、図形と、文字と、色で有効月を識別するとより好ましい。
【００４８】
○  又、有効期限識別領域１０Ｃに、さらに、色以外に、有効期限を識別する識別記号を付与するようにしてもよい。
○  前記実施形態では、コンタクトレンズ容器にラベル１０を貼着した例で説明したが、コンタクトレンズ容器を収納する外箱に上記のように色や、記号を付した構成のコンタクトレンズ用ラベルを貼着しても、上記と同様に商品管理が容易となる。
【００４９】
○  なお、前記実施形態では、コンタクトレンズの関連情報としては、コンタクトレンズの種類（商品名）、ベースカーブ（Ｂ.Ｃ.）、直径（ＤＩＡ.）、レンズ度数（Ｐ.）、有効期限（ＥＸＰ）、ロット番号（ＬＯＴ）を挙げたが、これらに限定されるものではない。
【００５０】
例えば、前記実施形態では説明を省略したが、ラベルには２次元コードが付与されているものもある。この２次元コードには、製造情報、製造日、製造に使用した加工機履歴、製造担当者名、ケース材料のロット番号、納入期限、発注日、発注先、コンタクトレンズの使用材料、保存液の種類、販売店情報等が含まれている。従って、２次元コードに含まれる情報は、コンタクトレンズの関連情報となる。これらの関連情報のうち、商品管理に必要な関連情報を選択して、その選択された関連情報のための識別領域をラベルに設けても良い。そして、その識別領域に関連情報の種別に応じた、色、形状、模様、記号の少なくとも1つを付与するようにする。
【図面の簡単な説明】
【００５１】
【図１】本発明を具体化した第１実施形態のコンタクトレンズ用ラベルの正面図。
【図２】本発明を具体化した第２実施形態のコンタクトレンズ用ラベルの正面図。
【符号の説明】
【００５２】
１０Ａ…着色された商品名識別領域（着色された色が識別手段に相当する）、
１０Ｃ…着色された有効期限識別領域（着色された色が識別手段に相当する）、
１２…商品名（コンタクトレンズに関する関連情報）、
２０…有効期限（コンタクトレンズに関する関連情報）。
【図１】
2008158334.tif 000003
【図２】
2008158334.tif 000004